(57)【要約】【課題】  本発明は、コインゲーム機で、ゲーム数を多数回予約するコイン数を投入した場合、硬貨でコインを設定枚数分以上交換した場合などで、サービスコインをプラスして出す、又はゲームをスタートしてサービス分のゲームを提供し、割り増し感で満足度を高め、より多くのプレイを誘うゲーム機を提供することを課題とする。【解決手段】  コインゲーム機の設定でサービス扉内に設定スイッチを設けて、サービスマンが設定換えを可能にする。設定の回数以上分のゲームをコインの投入で予約した場合、また硬貨を投入してコインに交換する場合のコイン数が設定枚数以上の場合などに、提供するサービスを予め複数通り用意して置いてゲーム機内の切り替えスイッチで設定を変えてサービスを提供できるゲーム機を提供する。【選択図】図１
2009219836.tif 000002
【特許請求の範囲】
【請求項１】
コインを利用するゲーム機の硬貨投入口から硬貨を投入し、相当するコインを貸し出して、コインゲームを提供するコインゲーム機において、硬貨投入口に投入された硬貨に相当するコイン数を払い出す設定と、投入された硬貨に相当するコイン数とおまけのコインを足して払い出す設定とを備え、何れかの設定を装置内の設定用スイッチで予め選択、設定を可能にしたことを特徴とする、コインゲーム機
【請求項２】
コインを利用するゲーム機の硬貨投入口から硬貨を投入し、相当するコインを貸し出して、コインゲームを提供するコインゲーム機において、硬貨投入口に投入された硬貨に相当するコイン数を払い出す設定と、投入された硬貨に相当するコイン数を払い出し、おまけのコイン分を投入相当にしておまけを、ゲームで提供する設定とを備え、何れかの設定を装置内の設定用スイッチで予め選択、設定を可能にしたことを特徴とする、コインゲーム機
【請求項３】
硬貨投入口に投入された硬貨に相当するコイン数と、おまけを提供し、おまけが提供されている事をプレイヤーに映像、音声又はその両方で報知する様に成したことを特徴とする、請求項１又は２に記載のコインゲーム機
【発明の詳細な説明】
【技術分野】
【０００１】  本発明は、コイン、メダルを利用するゲーム機に関して、従来コインゲームの児童を対象とするゲームは理解が容易で、繰り返してゲームする事で習熟度が向上する、あるいは数回のゲームで確率的に成功体験を得やすくする等の工夫がある。プレイヤーは一回でも多くゲームを楽しむ事を望んでいるが、ゲームでコインを獲得する期待の他にもおまけを得た喜び、お得感も同時に提供出来る、コインゲーム機に関するものである。
【背景技術】
【０００２】  従来コインを利用したゲーム機は決められたポイント分のコインを投入してゲームプレイを楽しむ、コイン獲得ゲームや映像画面での遊戯プレイ、勝負ゲームなど等、従来のコインゲーム機で児童幼児に利用される場面で、ゲームの習熟で展開が変わる、難易度の高い物や、技量は少なくても繰り返しチャレンジすることで達成や勝利などを得る様に確率を構成して提供する場合もある。そのようなゲーム機で従来に無い意外性のあるサービスなどでプレイヤーに喜びを提供できる、ゲーム機が求められていた。
【特許文献１】  特開平８−２５７２２５  号  公報
【特許文献２】  特開平９−２１８９００  号  公報
【発明の開示】
【発明が解決しようとする課題】
【０００３】  本発明の課題は、従来コインを利用するゲーム機で幼児、児童がゲームを楽しむ、コイン獲得ゲームや映像画面での遊戯ゲーム、勝敗ゲーム、条件選択ゲームなど等、従来のコインゲーム機で、ゲームの習熟度、反応予想で展開の変化、難易度の難度の高い物、またプレイヤーの技量が少なくても繰り返しチャレンジすることで達成や勝利など得易い様に確率を構成して提供する場合もある。そのようなゲーム機で従来に無い意外性のあるサービスをプレイヤーに提供するゲーム機が求められている。
【課題を解決するための手段】
【０００４】  本発明は、コインを利用するゲーム機の硬貨投入口から硬貨を投入して、硬貨に相当するコインを貸し出し、コインを投入してゲームを提供するコインゲーム機で、プレイヤーが硬貨投入口へ硬貨を入れてプレイ用のコインと交換する場合に、投入された硬貨に相当するコインを払い出し、設定枚数以上の交換がなされた場合には、おまけのコインを足して払い出す設定と、投入された硬貨に相当するコインをそのまま払い出す設定と、その何れかの設定をコインゲーム機のサービス扉内に具備する電子基板の設定用スイッチで予め選択設定を可能にするコインゲーム機にする。【０００５】  本発明は、コインを利用するゲーム機の硬貨投入口から硬貨を投入して、硬貨に相当するコインを貸し出し、コインを投入してゲームを提供するコインゲーム機で、プレイヤーが硬貨投入口へ硬貨を入れてプレイ用のコインと交換する場合に、投入された硬貨に相当するコインを払い出し、設定枚数以上の交換がなされた場合には、おまけ分でゲームを設定し、ゲームを可能にするサービスの設定と、投入された硬貨に相当するコインをそのまま払い出す設定と、その何れかの設定をコインゲーム機のサービス扉内に取り付けた電子基板の設定用スイッチで予め選択設定を可能にするコインゲーム機にする。【０００６】  本発明は、コインを利用するゲーム機の硬貨投入口から硬貨を投入して、硬貨に相当するコインを貸し出し、コインが投入されてゲームを提供するコインゲーム機で、プレイヤーが硬貨投入口へ硬貨を入れてプレイ用のコインと交換する場合に、予め設定した設定枚数以上のコイン交換がなされた場合、投入された硬貨に相当する枚数のコインを払い出し、おまけの設定でおまけ分のコインを足して払い出す設定と、投入された硬貨に相当する枚数のコインをそのまま払い出す設定、また予め設定した枚数以上のコイン交換がなされた場合に、おまけとしてゲームを設定し、おまけのゲームが出来るようにする等のサービスをして、何れの設定でもおまけが提供されている事などをプレイヤーに映像、音声又はその両方で報知する様にした、コインゲーム機にする。
【発明の効果】
【０００７】  本発明は前記のような手段を講じたことにより、次のような効果を奏する。請求項１の発明は、コインを利用するゲーム機の硬貨投入口から硬貨を投入して、硬貨に相当するコインを貸し出し、コインを投入してゲームを提供するコインゲーム機で、児童幼児など技量の少ないプレイヤーでも、硬貨投入口へ硬貨を入れてプレイ用のコインと交換する場合に、設定枚数以上の交換がなされると、おまけのコインを足して払い出す場合と、投入された硬貨に相当するコインをそのまま払い出す場合など、その何れかの設定でサービスが提供されて、おまけのコインを足して払い出された場合に、プレイヤーは予期しないサービスを受けることでお得感を味わうことが出来る。【０００８】  請求項２の発明は、コインを利用するゲーム機の硬貨投入口から硬貨を投入して、硬貨に相当するコインを貸し出し、コインを投入してゲームを提供するコインゲーム機で、プレイヤーが硬貨投入口へ硬貨を入れてプレイ用のコインと交換する場合に、設定枚数以上の交換がなされると、おまけ分のゲームを設定してゲーム可能にするサービスの場合と、投入された硬貨に相当するコインをそのまま払い出す場合など、その何れかの設定でサービスが提供されて、おまけのゲームが設定提供された場合に、プレイヤーは予期しないサービスを受けることでお得感を味わうことが出来る。【０００９】  請求項３の発明は、コインを利用するゲーム機の硬貨投入口から硬貨を投入して、硬貨に相当するコインを貸し出し、コインを投入してゲームを提供するコインゲーム機で、プレイヤーが硬貨投入口へ硬貨を入れてプレイ用のコインと交換する場合に、予め設定した設定枚数以上のコイン交換がなされた場合、投入された硬貨に相当する枚数のコインを払い出し、おまけの設定で、おまけ分のコインを足して払い出す設定と、投入された硬貨に相当する枚数のコインをそのまま払い出す設定、また予め設定した枚数以上のコイン交換がなされた場合の、おまけとしてゲームを設定し、おまけのゲームが出来るようにする等のサービスをして、何れの設定でもおまけが提供されている事をプレイヤーに映像、音声又はその両方で報知することでプレイヤーはサービスの提供を知ることや、プレイの応援を受けたり、またこのゲームのポイントなどのトークサービスで盛り上がることが出来る。
【発明を実施するための形態】
【００１０】  以下、本発明の一実施例を図面に示して説明する。「図１」、「図２」、「図３」、に本発明の実施例を示した。本実施例のコインゲーム機１は図１、図２ないし図３に示す形態で、ゲーム機が設置場に設置されて電源がＯＮしている状態では、コインゲーム機１のゲーム案内、コマーシャルなどを流してスタンバイする。プレイヤーに提供するサービスでコインをプラスして払い出すサービスの形態は、プレイヤーがコインゲーム機１の硬貨投入口５へ通貨硬貨を投入して、ゲーム機投入用のコインに変換する。
【００１１】  例えばゲームセンターのサービスマンが予めコインゲーム機１のサービス扉７の内側に装置された電子基板９のディップスイッチ１０の設定でコイン交換が行われた場合に、レートに見合うコイン数に足して１枚多く払い出すとした設定で、プレイヤーがコインゲーム機１の硬貨投入口５へ硬貨を投入してコイン交換した場合は投入硬貨に見合うコイン数プラス１枚のコインがコイン払い出し口８へ払いだされる。あるいはゲームセンターのサービスマンが予めコインゲーム機１のサービス扉７内側の電子基板９のディップスイッチ１０の設定をする場合に、ゲームの内容とか何らかの理由でプラスコイン無しとした設定で、プレイヤーがコイン交換を行った場合は、投入硬貨のレートに見合うコイン数が、コイン払い出し口８へ交換払い出される。
【００１２】  プレイヤーに提供するサービスでゲームプレイそのものをプラス回してサービスする場合、先ずプレイヤーがコインゲーム機１の硬貨投入口５へ通貨硬貨を投入して、ゲーム機投入用のコインに変換する。ゲームセンターのサービスマンが予めコインゲーム機１のサービス扉７の内側に装置された電子基板９のディップスイッチ１０の設定でコイン交換が行われた場合に、レートに見合うコイン数に足して例えば１回のゲームを設定してゲーム可能にして提供するとした設定の状態で、プレイヤーがコインゲーム機１の硬貨投入口５へ硬貨を投入してコイン交換した場合は投入硬貨に見合うコイン数がコイン払い出し口８へ払いだされ、コインゲーム機１のゲームがゲームプレイ可能に成ってスタンバイする。
【００１３】  あるいはゲームセンターのサービスマンが予めコインゲーム機１のサービス扉７内側の電子基板９のディップスイッチ１０の設定をする場合に、ゲームの内容とか何らかの理由でプラスのゲームを無しとした設定で、プレイヤーがコイン交換を行った場合は、投入硬貨のレートに見合うコイン数が、コイン払い出し口８へ払い出される。
【００１４】  ゲーム機が設置されて電源がＯＮしている状態では、コインゲーム機１のゲーム案内、コマーシャルなどを流してスタンバイする。本発明のプレイヤーに提供するサービスで、プレイヤーがコインゲーム機１の硬貨投入口５へ通貨硬貨を投入して、ゲーム機投入用コインの変換で、硬貨投入口５に投入された硬貨に相当するコイン数と、おまけのコインをプラスしてコイン払い出し口８へ払い出すサービス。プレイヤーがコインゲーム機１の硬貨投入口５へ通貨硬貨を投入して、ゲーム機投入用のコインの変換で、硬貨投入口５に投入された硬貨に相当するコイン数をコイン払い出し口８へ払いだし、例えば１回のゲームを設定してゲーム可能にするサービス。又はプレイヤーがゲームプレイの為に予め設定してある回数以上のゲームを予約するコインの投入をコイン投入口４に投入した場合などに、おまけが提供されている事をプレイヤーに映像、音声又はその両方で報知する、アドバイスするなど盛り上げる様に構成してある。
【図面の簡単な説明】
【００１５】
【図１】本発明のコインゲーム機の一実施例斜視図である。
【図２】図１、コインゲーム機のサービスドアー内に設けた設定スイッチ付き電子基板である。
【図３】図１、コインゲーム機のフローチャート図である。
【符号の説明】
【００１６】  １    コインゲーム機
２    表示器
３    ボタン
４    コイン投入口
５    硬貨投入口
６    硬貨戻り口
７    サービス扉
８    コイン払い出し口
９    電子基板
１０    ディップスイッチ
【図１】
2009219836.tif 000003
【図２】
2009219836.tif 000004
【図３】
2009219836.tif 000005